(57)【要約】【課題】情報処理プログラムを利用者側にダウンロードさせて、データの漏洩の心配なく自由に利用させながら、利用状況を管理したり、利用制限をしたりできる情報処理システムを提供することである。【解決手段】遊技場端末４と、統括コンピュータ５と、プログラム利用管理コンピュータ６と、データ出力手段７とを備え、プログラム利用管理コンピュータ６は、外部からの要求を受信する機能と、このコンピュータが上記要求を受信したとき、統括コンピュータから上記データ出力手段へのデータ出力を許可する機能６ｂとを備え、統括コンピュータ５は、遊技場端末４から送信された遊技場データを受信し、それを処理する機能５ｂと、遊技場データおよびその処理データを記憶する機能５ｃとを備え、上記データ出力手段７は、上記統括コンピュータから出力されたデータを出力する機能を備えた。【選択図】　図２
2004046667.tif 000002
【特許請求の範囲】
【請求項１】
遊技場端末と、統括コンピュータと、プログラム利用管理コンピュータと、データ出力手段とを備え、上記プログラム利用管理コンピュータは、このプログラム利用管理コンピュータ外部からの要求を受信する機能と、このコンピュータが上記要求を受信したとき、上記統括コンピュータから上記データ出力手段へのデータ出力を許可する機能とを備え、上記統括コンピュータは、上記遊技場端末から送信された遊技場データを受信し、それを処理する機能と、遊技場データおよびその処理データを記憶する機能とを備え、上記データ出力手段は、上記統括コンピュータから出力されたデータを出力する機能を備えた情報処理システム。
【請求項２】
統括コンピュータが複数の処理プログラムを備えるとともに、プログラム利用管理コンピュータは、データ出力を許可したとき、上記統括コンピュータのどのプログラムに対して上記データ出力の許可を与えたのかを記録する機能を備えた請求項１に記載の情報処理システム。
【請求項３】
プログラム利用管理コンピュータへの外部からの要求には、遊技場データの出力先を特定する出力手段特定情報を含み、プログラム利用管理コンピュータは、データ出力を許可したとき、上記出力特定情報を記録する機能を備えた請求項１または２に記載の情報処理システム。
【請求項４】
各遊技場端末の遊技場データを統括コンピュータへ収集するデータ収集手段を備えるとともに、上記統括コンピュータは、上記データ収集手段によって収集されたデータを処理する機能を備え、上記データ収集手段と統括コンピュータの遊技場データを処理する機能とは別個に機能することを特徴とする請求項１〜３のいずれか１に記載の情報処理システム。
【発明の詳細な説明】
【０００１】
【発明の属する技術分野】
この発明は、例えば、チェーン展開している遊技場の遊技場データを本部が処理する情報処理システムに関する。
【０００２】
【従来の技術】
例えば、複数の遊技場をチェーン展開しているチェーン店本部が、各遊技場の売上げなどの遊技場データを、一括管理するシステムとして、次のようなシステムがあった。
図５のように、複数の遊技場側のコンピュータ１をそれぞれインターネットなどの通信手段Ｉを介して本部コンピュータ２に接続している。各遊技場のコンピュータ１は、自店のデータを集計して、その結果を毎日、本部コンピュータ２へ送信する。本部コンピュータは、受信したデータを遊技場別に記憶したり、加工したりする。この本部コンピュータ２で加工されたデータは、各遊技場コンピュータ１のほか、ここでは図示していないが、本部コンピュータ２にアクセス可能なパソコンや、携帯電話などから、閲覧できるようにしている。
【０００３】
一方、本部コンピュータ２側では、各遊技場のデータを様々な角度から解析してみたいという要望がある。そのためには、様々な種類の解析プログラムが必要になるが、全てのプログラムを準備しておくことは、チェーン店本部にとって、コスト的に考えて非常に負担が大きい。そこで、必要なプログラムを必要なときにだけ利用できるようにするために、本部コンピュータとは別のＡＳＰ（ａｐｐｌｉｃａｔｉｏｎ　ｓｅｒｖｉｃｅ　ｐｒｏｖｉｄｅｒ）センター３に備えている特定のプログラムを必要なときだけ、利用して、遊技場データを集計したり解析したりするシステムがある。つまり、ＡＳＰセンター３は、本部コンピュータ２に対して、解析プログラムを貸し出すサービスを行っていることになる。なお、上記ＡＳＰセンター３は、通信手段Ｉを介して、本部コンピュータ２からアクセス可能にしている。
【０００４】
このようなシステムでは、上記本部コンピュータ２側で、ＡＳＰセンター３に用意されているプログラムでの処理が必要となったときに、ＡＳＰセンター３にアクセスして、そのプログラムを利用し、本部コンピュータ２のデータを処理するようにしている。具体的には、本部コンピュータ２が、全てのデータをＡＳＰセンター３へ預けて、特定の処理結果を返してもらう方法と、本部コンピュータ２側から、ＡＳＰセンターのプログラムを動かしながら必要なデータを処理する方法とがある。
【０００５】
【発明が解決しようとする課題】
上記のようなＡＳＰセンター３のプログラムを利用する方法では、本部コンピュータ２に記憶されている遊技場データの全部または一部が、少なくともデータ処理中には、ＡＳＰセンター３側へ送られることになる。このように、本部側のデータが、ＡＳＰセンター３へ移動することにより、ＡＳＰセンター３から、データが漏洩する危険性がある。
【０００６】
遊技場データには、遊技台毎の売上げのほか、アウト数、セーフ数、割数、特賞回数といったデータが含まれるが、これらのデータには、自社の経営ノウハウが含まれる。なお、アウト数とは、その遊技台から発射された玉数のことで、セーフ数とは、遊技台から払い出された玉数のことである。割数は、景品金額／売上げ金額）×１０で計算される値のことである。また、上記特賞回数の特賞とは、特定の条件を満たすことによって通常よりも多数の玉が払い出される状態のことである。例えば、特定の入賞口に玉が入賞して図柄が変動した後に、特定の図柄パターンとなったとき、多数の玉が払い出される状態のことである。
【０００７】
遊技場の場合、設置する遊技台の種類や機種が限られているので、営業データを解析するためのパラメータも限定されてしまう。そのため、上記のような遊技場データの種類が限られ、その解析手法が定型化している。そのため、他社の遊技場データから経営ノウハウを読み取ることが可能である。言い換えれば、遊技場データが漏れるということは、そのまま、自社の経営ノウハウが漏れることである。そこで、自社のノウハウが含まれたデータをＡＳＰセンター３に預けたくない場合には、上記のようなシステムを利用することができなかった。
【０００８】
一方、ＡＳＰセンター３から必要なプログラムを本部コンピュータ２にダウンロードして、全てのデータを本部コンピュータ２に集めるとともに、そこで上記プログラムを利用して自由にデータ処理を行うようにすれば、データの漏洩の心配はない。ところが、この方法では、一旦プログラムをダウンロードしてしまえば、本部コンピュータ２が自由にそのプログラムを利用できる。プログラム提供者側であるＡＳＰセンター３側では、本部コンピュータ２へ提供したプログラムがどれだけ利用されたのかを管理することができない。従って、利用量に応じた課金をすることはできない。
また、固定料金で契約した利用者が契約に違反した場合でも、その利用を制限することができないという問題があった。
【０００９】
この発明の目的は、情報処理プログラムを利用者側にダウンロードさせて、データの漏洩の心配なく自由に利用させながら、利用状況を管理したり、利用制限をしたりできる情報処理システムを提供することである。
【００１０】
【課題を解決するための手段】
第１の発明は、遊技場端末と、統括コンピュータと、プログラム利用管理コンピュータと、データ出力手段とを備え、上記プログラム利用管理コンピュータは、このプログラム利用管理コンピュータ外部からの要求を受信する機能と、このコンピュータが上記要求を受信したとき、上記統括コンピュータから上記データ出力手段へのデータ出力を許可する機能とを備え、上記統括コンピュータは、上記遊技場端末から送信された遊技場データを受信し、それを処理する機能と、遊技場データおよびその処理データを記憶する機能とを備え、上記データ出力手段は、上記統括コンピュータから出力されたデータを出力する機能を備えた点に特徴を有する。
【００１１】
第２の発明は、統括コンピュータが複数の処理プログラムを備えるとともに、プログラム利用管理コンピュータは、データ出力を許可したとき、上記統括コンピュータのどのプログラムに対して上記データ出力の許可を与えたのかを記録する機能を備えた点に特徴を有する。
【００１２】
第３の発明は、プログラム利用管理コンピュータへの外部からの要求には、遊技場データの出力先を特定する出力手段特定情報を含み、プログラム利用管理コンピュータは、データ出力を許可したとき、上記出力特定情報を記録する機能を備えた点に特徴を有する。
第４の発明は、各遊技場端末の遊技場データを統括コンピュータへ収集するデータ収集手段を備えるとともに、上記統括コンピュータは、上記データ収集手段によって収集されたデータを処理する機能を備え、上記データ収集手段と統括コンピュータの遊技場データを処理する機能とは別個に機能する点に特徴を有する。
【００１３】
【発明の実施の形態】
図１、図２に示す第１実施例は、インターネットなどの通信手段Ｉを介して、複数の遊技場端末４と、これらの遊技場端末４の遊技場データを処理する統括コンピュータ５と、プログラム利用管理コンピュータ６と、出力用端末７とを接続可能にしている。
上記遊技場端末４は、各遊技場用のコンピュータで、各遊技場における売上げ情報などの遊技場データを記憶するとともに、その遊技場データを統括コンピュータ５に対して送信する機能を備えている。上記遊技場データには、遊技台毎の売上げや、アウト数、セーフ数など、従来例のシステムで説明した遊技場データのほか、様々なデータが含まれる。
また、この遊技場端末４が、統括コンピュータ５に対して、自店の遊技場データを送信する方法は、どのようなものでもかまわないので、ここでは説明を省略する。
【００１４】
上記統括コンピュータ５は、チェーン店本部などに設けたコンピュータである。ただし、上記統括コンピュータ５は、チェーン店本部ではなく、複数店舗の中の、１つの店舗に設けてもかまわない。そして、この統括コンピュータ５は、各遊技場端末４から送信された遊技場データを受信するための受信手段５ａと、それらを処理する処理手段５ｂと、データを記憶する記憶手段５ｃと、この記憶手段５ｃに記憶したデータを出力用端末７に出力する出力手段５ｄとを備えている。
上記記憶手段５ｃには、遊技場端末４から送信されたそのままのデータと、上記処理手段５ｂによって集計処理されたデータのどちらかを記憶してもよいし、それら両方を記憶するようにしてもよい。
【００１５】
また、上記プログラム利用管理コンピュータ６は、上記統括コンピュータ５にデータ処理のためのプログラムを提供する提供者側のコンピュータで、記憶手段６ａと、データ出力許可手段６ｂとを備えている。
なお、このシステムにおいては、プログラム提供者側から提供される処理プログラムは、あらかじめ、統括コンピュータ５にダウンロードし、その記憶手段５ｃに記憶した状態で自由に利用できるようにしている。そして、上記処理プログラムには、集計や解析プログラムのほか、データを表示させる表示プログラムや閲覧プログラムなどが含まれる。そして、上記プログラム提供者側から提供され、遊技データを処理するプログラムを処理プログラムということにする。
【００１６】
上記出力用端末７は、上記統括コンピュータ５の記憶手段５ｃで記憶しているデータを出力するための端末である。つまり、各遊技場端末４から送信されたデータや、それらを加工したデータを、この出力用端末７によって閲覧することができる。そして、出力用端末７は、上記統括コンピュータ５が出力したデータを受信する受信手段７ａと、そのデータを表示する表示手段７ｃと、表示手段７ｃを制御したり、データを処理したりする処理手段７ｂとを備えている。
【００１７】
なお、この第１実施例においては、上記出力用端末７が、この発明のデータ出力手段であるが、具体的には、経営者などが利用するパソコンや、携帯電話など、通信手段Ｉを介して、上記統括コンピュータ５にアクセスできるものならば、どのようなものでもかまわない。また、遊技場に設置された遊技場端末４に、出力用端末７と同様の機能を備え、遊技場端末４がデータ出力手段を兼ねるようにしてもかまわない。
いずれにしても、このデータ出力手段によって、各遊技場データや、それらの集計データなどを閲覧することができる。
【００１８】
そして、この発明のシステムでは、上記処理プログラムの利用状況を直接管理する代わりに、上記統括コンピュータ５から、出力用端末７へのデータの出力を管理するようにしている。つまり、統括コンピュータ５では、各遊技場端末４からの遊技場データを統括的に処理しているが、その処理結果を見ることができなければ意味がない。従って、データ出力をチェックすることにより、上記処理プログラムの利用状況を間接的に管理したことになる。
【００１９】
次に、出力用端末７が、統括コンピュータ５のデータを表示させる手順を、図２を用いて説明する。
図２は、統括コンピュータ５、プログラム利用管理コンピュータ６、出力用端末７間のデータの流れを、矢印▲１▼〜▲５▼で示している。なお、ここでは、遊技場端末４から上記統括コンピュータ５へ遊技場データの送信の過程は省略している。上記統括コンピュータ５の記憶手段５ｃには、遊技場データやそれらを処理したデータが記憶されているものとする。この点は、以下の実施例においても同じである。
【００２０】
まず、出力用端末７の処理手段７ｂが、統括コンピュータ５の処理手段５ｂに対して、閲覧したいデータを指定して、閲覧要求信号▲１▼を出力する。この閲覧要求信号▲１▼の出力は、出力用端末７が自動的に行うようにすることもできるし、オペレータが行うようにしてもかまわない。
【００２１】
上記閲覧要求信号▲１▼を受信した処理手段５ｂは、プログラム利用管理コンピュータ６のデータ出力許可手段６ｂに対して、データ出力許可要求信号▲２▼を送信する。このとき、端末から指定されたデータに係わる処理プログラムを特定するためのデータも一緒に送信する。ただし、統括コンピュータ５において、データを集計したり、表示させたりするための処理プログラムが１種類しか無い場合や、処理プログラムの種類別に履歴を管理する必要が無い場合には、特にプログラムを特定するデータを送信する必要は無い。
なお、上記データ出力許可要求信号▲２▼が、この発明の、プログラム利用管理コンピュータに対する外部からの要求にあたる。
【００２２】
一方、統括コンピュータ５からデータ出力許可要求信号▲２▼を受信したプログラム利用管理コンピュータ６のデータ出力許可手段６ｂは、統括コンピュータ５の処理手段５ｂに対して、データ出力許可信号▲３▼を送信する。これととともに、データ出力許可信号▲３▼を出力したことを履歴データ▲４▼として、記憶手段６ａに記憶させる。この際、データ出力許可手段６ｂは、統括コンピュータ５から送信されたデータに基づいて、処理プログラムを特定し、その処理プログラムに対してデータ出力許可を与えということを履歴データとする。
【００２３】
上記データ出力許可信号▲３▼を受信した統括コンピュータ５の処理手段５ｂは、記憶手段５ｃから必要なデータを抽出し、出力手段５ｄを介して、出力用端末７の処理手段７ｂへ、閲覧データ▲５▼を出力する。出力用端末７の処理手段７ｂは、受信したデータを、表示手段７ｃに表示させる。
以上の手順で、統括コンピュータ５が処理した閲覧データ▲５▼を、出力用端末７から閲覧することができるようにしているが、この閲覧の過程で、統括コンピュータ５は、プログラム利用管理コンピュータ６のデータ出力許可が必要である。
そのため、統括コンピュータ５から、出力用端末７へのデータの出力履歴を、プログラム利用管理コンピュータ６が管理できる。
【００２４】
このように、統括コンピュータ５から、出力用端末７へのデータ出力履歴を管理できれば、データ閲覧に対して課金することができる。また、課金方法を利用量に応じたものではなく、定額制にした場合でも、契約が切れたときや、支払いが滞っているときなどには、プログラム利用管理コンピュータ６側で、データ出力許可信号を出力しないという方法によって閲覧を制限して、間接的に処理プログラムの利用を制限することもできる。
すなわち、統括コンピュータ５から、出力用端末７へのデータ出力ができない場合には、統括コンピュータ５で、処理プログラムを自由に利用できるといっても、処理結果を見ることことができないので、処理プログラムを利用する意味がない。
【００２５】
また、出力用端末７が、プログラム利用管理コンピュータ６へ、閲覧要求などの要求信号を送信する際に、自身の端末ＩＤのような出力手段特定情報を上記要求信号に含んで送信するようにすれば、プログラム利用管理コンピュータ６は、要求してきた出力用端末７を特定することができる。その出力手段特定情報を要求履歴として記憶するようにすれば、複数の出力用端末が接続されていた場合にも、出力用端末７毎の閲覧プログラムの利用状況を把握することもできる。そして、各出力用端末に対し、その利用量に応じた課金をすることもできる。
【００２６】
なお、この第１実施例では、出力用端末７が、閲覧要求を送信するたびに、統括コンピュータ５では、プログラム利用管理コンピュータ６のデータ出力許可手段６ｂに対して、データ出力許可要求信号▲２▼を送信するようにしているが、統括コンピュータ５に、閲覧データ出力用の処理プログラムを有効期限付きで提供しておくようにすることもできる。有効期限内なら、統括コンピュータ５は、プログラム利用管理コンピュータ６のデータ出力許可を受けなくても、出力用端末７からの閲覧要求に応えることができる。
【００２７】
ただし、上記閲覧用の処理プログラムの有効期限が切れた場合には、上記第１実施例のデータ出力許可要求信号▲２▼の代わりに、閲覧プログラムの有効期限更新要求信号を出力して、データ出力許可手段６ｂが、上記閲覧プログラムの期限更新を行うようにする。この場合には、上記有効期限更新要求信号の出力が、この発明のプログラム利用管理コンピュータに対する外部からの要求にあたる。
また、上記有効期限更新要求の代わりに、閲覧プログラム自体を要求するようにしてもよい。
【００２８】
図３に示す第２実施例は、出力用端末７が、閲覧要求プログラムを、プログラム利用管理コンピュータ６から有効期限付きで提供される例である。システム全体の構成は、上記第１実施例と同様である。
出力用端末７の処理手段７ｂは、プログラム利用管理コンピュータ６のデータ出力許可手段に、閲覧要求プログラム要求信号▲１▼を送信する。この閲覧要求プログラム要求信号の送信が、この発明のプログラム利用管理コンピュータに対する外部からの要求にあたる。
【００２９】
データ出力許可手段６ｂは、出力用端末７からの閲覧プログラムの要求を要求履歴データ▲２▼として記憶手段６ａに記憶させ、有効期限付きの閲覧要求プログラム▲３▼を出力用端末７の処理手段７ｂへ送信してダウンロードさせる。処理手段７ｂは、ダウンロードした閲覧要求プログラムを利用して、閲覧要求信号▲４▼を統括コンピュータ５の処理手段５ｂへ送信する。統括コンピュータ５の処理手段５は、出力用端末７の要求に従って閲覧データ▲５▼を出力する。
出力用端末７の受信手段７ａは、閲覧データ▲５▼を受信し、処理手段７ｂが、そのデータを表示手段７ｃに表示させる。
【００３０】
この第２実施例では、出力用端末７は、プログラム利用管理コンピュータ６から閲覧要求プログラムを一度ダウンロードしたら、有効期限が切れるまで、そのプログラムを自由に利用して、統括コンピュータ５へ閲覧要求をすることができる。つまり、上記有効期間内なら、図３に示す矢印のうち、矢印▲４▼と矢印▲５▼の手順だけを実行するだけでデータ閲覧ができる。そして、上記閲覧要求プログラムの有効期限が切れた場合には、再度、矢印▲１▼のように、閲覧要求プログラムを要求する。
【００３１】
なお、ここでは、閲覧要求プログラムの有効期限が切れた場合には、再度、閲覧要求プログラムを要求するようにしているが、出力用端末７は、期限更新だけを要求するようにしてもよい。その場合、プログラム利用管理コンピュータ６は、閲覧要求プログラムをダウンロードさせるのではなく、すでに、出力用端末７にダウンロードされているプログラムの有効期限を書き換える処理を行うことになる。
【００３２】
図４に示す第３実施例は、出力用端末７が、プログラム利用管理コンピュータ６に対して、閲覧要求を送信する例である。
出力用端末７が、統括コンピュータ５のデータの閲覧要求信号▲１▼を、プログラム利用管理コンピュータ６のデータ出力許可手段６ｂに対して送信する。なお、この閲覧要求信号▲１▼の出力が、この発明のプログラム利用管理コンピュータに対する外部からの要求である。また、上記閲覧要求信号には、統括コンピュータ５の記憶手段５ｃに記憶されているデータのうちの特定のデータを指定する信号を含むこともできる。
【００３３】
閲覧要求信号▲１▼を受信したプログラム利用管理コンピュータ６では、上記出力用端末７からの閲覧要求を要求履歴データ▲２▼として記憶手段６ａに記憶させる。そして、統括コンピュータ５の処理手段５ｂに対しては、データ出力許可信号▲３▼を送信する。このデータ出力許可信号▲３▼を受信した処理手段５ｂは、記憶手段５ｃの中から、必要なデータを抽出して、それを閲覧データ▲４▼として、出力手段５ｄを介して出力用端末７へ出力する。出力用端末７は、受信手段７ａで受信した閲覧データ▲４▼を自身の表示手段７ｃに表示させる。
なお、上記プログラム利用管理コンピュータ６から統括コンピュータ５へは、閲覧データの出力先である出力用端末７を特定する情報や、出力すべきデータの内容を特定する情報なども、送信されるようにしている。
【００３４】
以上第１〜第３実施例のように、この発明のデータ処理システムでは、統括コンピュータ５のデータを出力用端末７に出力させるために、プログラム利用管理コンピュータ６のデータ出力許可手段６ｂから、出力許可信号や、閲覧プログラムの提供を受けなければならないようにしている。つまり、データ出力許可手段６ｂの許可を得なければ、データの閲覧ができない。そのため、プログラム利用管理コンピュータ６では、出力用端末７の閲覧履歴を管理することができる。
【００３５】
そして、統括コンピュータ５のデータを、出力用端末７から閲覧するということは、統括コンピュータ５が、閲覧プログラムを含んだ処理プログラムを利用しているということである。従って、上記閲覧履歴を管理できれば、それに基づいて、処理プログラムの利用量を推測することもできるし、上記閲覧量に応じた課金をすることもできる。また、処理プログラムの利用やデータ閲覧に対して、定額制の課金方法を採用した場合でも、契約が切れたときや、支払いが滞ってしまったときなどには、プログラム利用管理コンピュータ６側で、直ちに閲覧を制限することができる。そして、結果的に、処理プログラムの利用を制限することもできる。
しかも、上記システムにおいては、遊技場端末４の遊技場データは、プログラム利用管理コンピュータ６を経由することがないので、外部へ漏洩する心配もない。
【００３６】
また、プログラム利用管理コンピュータ６で、閲覧履歴を管理する際に、どの処理プログラムに関連する処理データの閲覧なのかということを特定して、記憶するようにすれば、処理プログラム毎の利用頻度を管理することもできる。例えば、統括コンピュータ５に、複数のデータ解析プログラムを提供していた場合、それぞれの解析データの閲覧頻度がわかれば、プログラム利用管理コンピュータ側が提供するプログラムの中で、解析手法や、表示方法の人気度を判断することもできる。
【００３７】
なお、上記の実施例では、遊技場端末４から統括コンピュータ５への遊技場データの収集方法は、どのようなものでもかまわない。例えば、統括コンピュータ５が備えている処理プログラムに、集計機能や、閲覧機能とともに、データ収集機能を含んでいても良いし、上記処理プログラムとは別に、データ収集を専門に行う収集プログラムを備えるようにしても良い。そして、このデータ収集プログラムが、この発明のデータ収集手段にあたり、このデータ収集プログラムは、統括コンピュータ５と遊技場端末４のどちらに備えても良いし、両者に備えたものであってもかまわない。
【００３８】
そして、上記データ収集手段を上記処理プログラムとは別に設けた場合には、特定の処理プログラムの契約をしなくても、遊技場端末４の遊技場データを統括コンピュータ５に収集しておくことができるようになる。そのため、特定の処理プログラムの利用契約をした時点で、それ以前から収集しておいたデータをその処理プログラムで処理することができる。これにより、処理プログラムによって、閲覧情報が変化するような場合に、処理プログラムの契約を切り替えても、契約前に収集したデータを処理して見ることができるので、以前の処理プログラムによる処理結果と、全く同じ元データに関して比較することができて便利である。
【００３９】
また、一時的に使用契約を解除して処理プログラムの利用を中止した場合にも、後から再び使用契約をすれば、処理プログラムの利用を中止していた間のデータを処理することができる。このため、処理プログラムの利用者は、必要なときに、必要な処理プログラムのみを使用することができ、利用者の負担を軽くすることができる。
【００４０】
【発明の効果】
第１〜第４の発明によれば、情報処理プログラムを利用者側である統括コンピュータにダウンロードさせて、経営ノウハウが含まれている遊技場データの漏洩の心配なく自由に利用させながら、利用状況を管理したり、利用制限をしたりできるようになる。
【００４１】
特に、第２の発明によれば、統括コンピュータに備えた複数の処理プログラムの、利用頻度を測ることができる。そして、その利用頻度から、各プログラムの人気度を測ることもできる。
第３の発明によれば、統括コンピュータのデータの閲覧要求頻度を出力用端末毎に管理することができる。その頻度に応じて、出力用端末毎に課金することもできる。
【００４２】
第４の発明によれば、統括コンピュータが遊技場データを処理する機能にあたる処理プログラムに関係なく、データ収集だけは継続できるので、上記処理プログラムを変更したとしても、過去に収集したデータも新しい処理プログラムの処理対象にすることができる。例えば、いろいろな種類の閲覧プログラム、短期間に契約を切り替えて試してみる際などに、便利である。過去の同じデータに対して、別の閲覧プログラムによる処理を行うことができるため、比較しやすいからである。
【図面の簡単な説明】
【図１】第１実施例のシステム構成図である。
【図２】第１実施例のデータの流れを示した図である。
【図３】第２実施例のデータの流れを示した図である。
【図４】第３実施例のデータの流れを示した図である。
【図５】従来例のシステムを示した図である。
【符号の説明】
４　　　　　遊技場端末
５　　　　　統括コンピュータ
５ｂ　　　　処理手段
５ｃ　　　　記憶手段
５ｄ　　　　出力手段
６　　　　　プログラム利用管理コンピュータ
６ａ　　　　記憶手段
６ｂ　　　　データ出力許可手段
７　　　　　出力用端末
７ｂ　　　　処理手段
７ｃ　　　　表示手段
【図１】
2004046667.tif 000003
【図２】
2004046667.tif 000004
【図３】
2004046667.tif 000005
【図４】
2004046667.tif 000006
【図５】
2004046667.tif 000007